(57)【特許請求の範囲】
【請求項１】
軸線に沿って延伸するポンプ軸を回転駆動するモーター本体と、該モーター本体の前記ポンプ軸と共に回転するように前記ポンプ軸に設置されている羽根車と、を有するモーターと、
前記羽根車を収容する渦巻き室を囲むと共に、前記ポンプ軸の延伸先方向に向かって開口が形成されているポンプケーシングを有するケーシングと、
前記開口を覆うように前記ケーシングに取り付けられているカバー手段と、
を備えるポンプ装置であって、
前記ポンプケーシングは、前記開口に隣接し、且つ、前記渦巻き室に臨む内周面と、前記内周面の反対側に位置する外周面と、前記内周面から前記外周面まで延伸して、前記カバー手段側に面する端面と、を有する上、前記内周面に、雌ネジが形成されており、
前記カバー手段は、
前記ポンプケーシングの前記端面に当接する端壁と、
前記端壁から前記ポンプケーシングに形成された前記開口内に嵌め込まれるように皿状に形成されるカバー本体と、
前記外周面を外から囲むように前記端壁から前記ケーシング側へ延伸する外環壁と、
を有し、
前記カバー本体は、前記開口と連通する吸入口と、前記ポンプケーシングの前記内周面に面する外環面と、を有し、該外環面に前記雌ネジと螺合する雄ネジが形成されていることを特徴とするポンプ装置。
【請求項２】
前記ケーシングは、
前記モータ本体から前記ポンプケーシングまで延伸し、且つ、前記ポンプ軸が挿通する収容空間を囲む中空筒状の円筒ケーシングを更に有しており、
前記ポンプケーシングの前記外周面に第１リング溝が形成されており、
前記第１リング溝内に嵌め込まれると共に前記外環壁に当接する第１シールリングが介在して前記外周面と前記外環壁との間の気密性を確保することを特徴とする請求項１に記載のポンプ装置。
【請求項３】
前記ケーシングは、前記ポンプケーシングの前記端面に第２リング溝が形成されており、
前記第２リング溝内に嵌め込まれると共に前記端壁に当接する第２シールリングが介在して前記端面と前記端壁との間の気密性を確保することを特徴とする請求項１に記載のポンプ装置。
【請求項４】
前記カバー手段の前記カバー本体は、前記羽根車側に面するトップ面と、前記トップ面の反対側に位置するボトム面とを有し、前記ボトム面に複数の補強用リブが形成されていると共に、該複数の補強用リブの間に複数の凹陥部が画成されており、
前記吸入口は、前記トップ面から前記ボトム面まで貫通するように形成されていることを特徴とする請求項１〜請求項３のいずれか１項に記載のポンプ装置。
【発明の詳細な説明】
【技術分野】
【０００１】
本発明は流体を輸送するポンプに関し、特に化学溶液を輸送するポンプ装置に関する。
【背景技術】
【０００２】
特許文献１に示されているように、従来のポンプ装置１００は、本体１１０と、当該本体１１０の上部に固定されている取り付け座１２０と、ポンプ軸に設置される羽根車１３０と、取り付け座１２０に取り付けられ、ポンプ軸と共に羽根車１３０を回転駆動するモーター１４０と、本体１１０を下部から覆うカバー２０と、カバー２０を本体１１０に固定するＣ字形に形成されたＣ字形固定手段１０を有する。
【０００３】
上述のポンプ装置１００が流体を輸送する際、吸入口２１から吸入された流体を羽根車１３０によって、吐出口へ流し、流体の輸送が完了する。しかし、輸送する流体が高温や高圧の化学溶液の場合、輸送の過程で本体１１０の吸入口２１が外側に向かって拡張し変形してしまうことがよくあり、且つ、ポンプ装置１００をそのような状況下で使い続けると、本体１１０の吸入口２１の周りの変形が徐々に進み、モーター１４０の出力またはポンプの流量を上げると、カバー２０が吸入口２１から割れるといった故障が起きる問題点がある。
【先行技術文献】
【特許文献】
【０００４】
【特許文献１】台湾実用新案登録第Ｍ３５４００３号公報
【発明の概要】
【発明が解決しようとする課題】
【０００５】
そこで、本発明の目的は、上記従来技術の欠点を改善できるポンプ装置を提供することにある。
【課題を解決するための手段】
【０００６】
上記目的を達成すべく、本発明は、軸線に沿って延伸するポンプ軸を回転駆動するモーター本体と、該モーター本体の前記ポンプ軸と共に回転するように前記ポンプ軸に設置されている羽根車と、を有するモーターと、前記羽根車を収容する渦巻き室を囲むと共に、前記ポンプ軸の延伸先方向に向かって開口が形成されているポンプケーシングを有するケーシングと、前記開口を覆うように前記ケーシングに取り付けられているカバー手段と、を備えるポンプ装置であって、前記ポンプケーシングは、前記開口に隣接し、且つ、前記渦巻き室に臨む内周面と、前記内周面の反対側に位置する外周面と、前記内周面から前記外周面まで延伸して、前記カバー手段側に面する端面と、を有する上、前記内周面に、雌ネジが形成されており、前記カバー手段は、前記ポンプケーシングの前記端面に当接する端壁と、前記端壁から前記ポンプケーシングに形成された前記開口内に嵌め込まれるように皿状に形成されるカバー本体と、前記外周面を外から囲むように前記端壁から前記ケーシング側へ延伸する外環壁と、を有し、前記カバー本体は、前記開口と連通する吸入口と、前記ポンプケーシングの前記内周面に面する外環面と、を有し、該外環面に前記雌ネジと螺合する雄ネジが形成されていることを特徴とするポンプ装置を提供する。
【発明の効果】
【０００７】
上記構成により、本発明のポンプ装置は、カバー手段のカバー本体が渦巻き室内に螺装され、且つ、外環壁がポンプケーシングを外から囲むことにより、たとえモーター本体の出力やポンプの流量が上がっても、ポンプケーシングの外壁が外側へ拡張し変形してしまうことを抑えることができ、カバー手段が開口から破裂することを防止して耐久年数を延ばすことができる。
【図面の簡単な説明】
【０００８】
【図１】本発明の一実施例に係るポンプ装置を示す断面図である。
【図２】図１の一部拡大図である。
【図３】当該実施例を示す斜視図である。
【発明を実施するための形態】
【０００９】
以下は説明図を参照しながら本発明のポンプ装置について詳しく説明する。
【００１０】
図１と図２に示されているように、本発明の実施例に係るポンプ装置は、モーター１０と、ケーシング２０と、カバー手段３０と、第１シールリング４０と、第２シールリング５０と、を備えている。
【００１１】
モーター１０は、取り付け手段１１と、取り付け手段１１に固定され、軸線Ｌに沿って延伸するポンプ軸１３を回転駆動するモーター本体１２と、該モーター本体１２のポンプ軸１３と共に回転するようにポンプ軸に設置されている羽根車１４と、を有するように構成されている。
【００１２】
ケーシング２０は、羽根車１４を収容する渦巻き室２２１を囲むと共に、ポンプ軸１３の延伸先方向に向かって開口２４が形成されているポンプケーシング２２と、取り付け手段１１を介してモーター本体１２からポンプケーシング２２まで延伸し、且つ、ポンプ軸１３が挿通する収容空間２１１を囲む中空筒状の円筒ケーシング２１とを有する。
【００１３】
ポンプケーシング２２は、開口２４に隣接し、且つ、渦巻き室２２１に臨む内周面２２２と、内周面２２２の反対側に位置する外周面２２３と、内周面２２２から外周面２２３まで延伸して、カバー手段３０側に面する端面２２４と、渦巻き室２２１と連通しポンプケーシング２２を貫通する吐出口２３と、を有する上、内周面２２２に、雌ネジ２２５が形成されている。更に、ポンプケーシング２２は、外周面２２３に第１リング溝２２６が、また端面２２４に第２リング２２７がそれぞれ形成されている。
【００１４】
カバー手段３０は、例えば、ＰＰ、ＧＦＲＰＰ、ＰＶＤＦ、ＣＦＲＥＴＦＥなど、耐酸性及び耐アルカリ性を持つエンジニアリングプラスチックを用いて作られることが好ましい。カバー手段３０は、開口２４を覆うようにケーシング２０に取り付けられ、ポンプケーシング２２の端面２２４に当接する端壁３３と、端壁３３からポンプケーシング２２に形成された開口２４内に嵌め込まれるように皿状に形成されるカバー本体３１と、外周面２２３を外から囲むように端壁３３からケーシング２０側へ延伸する外環壁３２と、カバー本体３１と外環壁３２と端壁３３とにより画成されて、ポンプケーシング２２を挿し込むことができる凹形溝３４と、を有する。
【００１５】
カバー本体３１は、開口２４と連通する吸入口３１３と、ポンプケーシング２２の内周面２２２に面する外環面３１１と、を有し、該外環面３１１に雌ネジ２２５と螺合する雄ネジ３１２が形成されている。
【００１６】
カバー本体３１は更に、羽根車１４側に面するトップ面３１４と、トップ面３１４の反対側に位置するボトム面３１５とを有し、ボトム面３１５に複数の補強用リブ３１７が形成されていると共に、該複数の補強用リブ３１７の間に複数の凹陥部３１６が画成されており、吸入口３１３は、トップ面３１４からボトム面３１５まで貫通するように形成されている。
【００１７】
第１シールリング４０は、第１リング溝２２６内に嵌め込まれると共に外環壁３２に当接するよう介在して外周面２２３と外環壁３２との間の気密性を確保する。
【００１８】
第２シールリング５０は、第２リング溝２２７内に嵌め込まれると共に端壁３３に当接するよう介在して端面２２４と端壁３３との間の気密性を確保する。
【００１９】
以下、本実施形態の構造及び作用について更に詳しく説明する。
【００２０】
図１と図２に示されているように、本発明のポンプ装置の組み立てが完了した際、モーター１０とケーシング２０はしっかりと接続され、且つ、羽根車１４はポンプ軸１３に設置されると共に渦巻き室２２１に収容される。カバー手段３０は、雄ネジ３１２が雌ネジ２２５と螺合し、ポンプケージング２２にしっかりと固定される。
【００２１】
モーター１０のモーター本体１２が起動されると、ポンプ軸１３と共に羽根車１４が回転駆動され、羽根車１４によって吸入口３１３から吸入された化学溶液が吐出口１４へ流され、これにより、化学溶液を輸送することができる。
【００２２】
化学溶液を輸送する際、カバー手段３０のカバー本体３１が渦巻き室２２１内に螺装され、且つ、外環壁３２がポンプケーシング２２を外から囲んでいることにより、たとえモーター本体１２の出力やポンプの流量が上がっても、ポンプケーシング２２の外壁が外側へ拡張し変形してしまうことが防がれるので、カバー手段３０が開口２４から破裂することが防止され、結果ポンプ装置の耐久年数を延ばすことができるようになる。
【００２３】
よって、本発明のカバー手段３０のカバー本体３１と外環壁３２と端壁３３により画成された凹型の断面構造を利用することで、ポンプ装置が高圧高温時に、高い抗張力を発揮することにより、ケーシング２０の変形を防止する効果が得られる。
【００２４】
また、第１リング溝２２６内に嵌め込まれている第１シールリング４０の介在により外周面２２３と外環壁３２との間の気密性が確保され、且つ、第２リング溝２２７内に嵌め込まれている第２シールリング５０の介在により端面２２４と端壁３３との間の気密性が確保されることにより、流体のリークを確実に防止することができる。従って、たとえポンプケーシング２２の外壁が外側へ拡張し変形してしまっても、第１シールリング４０が設置されていることにより、水密性を確保することができる。
【００２５】
なお、カバー手段３０に形成されている複数の補強用リブ３１７によりカバー本体３１の構造強度が強化され、複数の補強用リブ３１７の間に画成されている複数の凹陥部３１６によりカバー手段３０の軽量化を図ることができ、且つ、カバー本体３１の変形を有効に防げる。
【００２６】
以上により、本実施形態のポンプ装置は、構造が単純な為、組み立てもしやすく、且つ、ポンプのケーシングの破裂を効果的に防ぐことが可能となる。
【００２７】
以上、本発明の好ましい実施形態を説明したが、本発明はこれらに限定されるものではなく、最も広い解釈の精神および範囲内に含まれる様々な構成として、全ての修飾および均等な構成を包含するものとする。
【産業上の利用可能性】
【００２８】
上記構成により、本発明のポンプ装置は、カバー手段のカバー本体が渦巻き室内に螺装され、且つ、外環壁がポンプケーシングを外から囲んでいることにより、たとえモーター本体の出力やポンプの流量が上がっても、ポンプケーシングの外壁が外側へ拡張し変形することを抑え、カバー手段が開口から破裂することを防止して耐久年数を延ばすことができるため、産業上の利用可能性がある。
【符号の説明】
【００２９】
１０      モーター
１１      取り付け手段
１２      モーター本体
１３      ポンプ軸
１４      羽根車
２０      ケーシング
２１      円筒ケーシング
２１１    収容空間
２２      ポンプケーシング
２２１    渦巻き室
２２２    内周面
２２３    外周面
２２４    端面
２２５    雌ネジ
２２６    第１リング溝
２２７    第２リング溝
２３      吐出口
２４      開口
３０      カバー手段
３１      カバー本体
３１１    外環面
３１２    雄ネジ
３１３    吸入口
３１４    トップ面
３１５    ボトム面
３１６    凹陥部
３１７    補強用リブ
３２      外環壁
３３      端壁
３４      凹形溝
４０      第１シールリング
５０      第２シールリング
Ｌ        軸線
【要約】
【課題】ポンプのケーシングが破裂してしまうことを防止するポンプ装置を提供する。
【解決手段】ポンプ装置は、モーター１０と、ケーシング２０と、カバー手段３０と、を備える。モーター１０は、ポンプ軸１３を回転駆動するモーター本体１２と、ポンプ軸１３に設置されている羽根車１４とを有する。ケーシング２０は、開口２４が形成されているポンプケーシング２２を有し、ポンプケーシング２２は、内周面２２２と、外周面２２３と、端面２２４とを有する上、内周面２２２に、雌ネジ２２５が形成されている。カバー手段３０は、端面２２４に当接する端壁３３と、開口２４内に嵌め込まれるカバー本体３１と、外周面２２３を外から囲む外環壁３２とを有し、カバー本体３１は、開口２４と連通する吸入口と、内周面２２２に面する外環面とを有し、外環面に雌ネジ２２５と螺合する雄ネジ３１２が形成されている。
【選択図】図１【図１】
0006878644.tif 000002
【図２】
0006878644.tif 000003
【図３】
0006878644.tif 000004